(57)【要約】【課題】  同種のインタフェースを複数有し夫々のインタフェースを介して夫々異なる機能を提供可能なデバイスを提供する。【解決手段】  デバイス１０は本体１を有する。本体１の両端には、ＵＳＢコネクタ２０およびＵＳＢコネクタ３０が設けられる。本体１はメモリ機能部２１およびＢｌｕｅｔｏｏｔｈ機能部３１を内蔵する。メモリ機能部２１はＵＳＢコネクタ２０と電気的に接続されている。一方、Ｂｌｕｅｔｏｏｔｈ機能部３１はＵＳＢコネクタ３０と電気的に接続されている。【選択図】    図１
2007233627.tif 000002
【特許請求の範囲】
【請求項１】
本体と、
前記本体に内蔵される第１の機能部と
前記本体に内蔵され前記第１の機能部とは異なる第２の機能部と、
前記本体に設けられ、前記第１の機能部と外部機器とが通信するために設けられる第１
のインタフェースと、
前記本体に設けられ、前記第２の機能部と外部機器とが通信するために設けられる前記
第１のインタフェースと同種類の第２のインタフェースと、
を具備することを特徴とするデバイス。
【発明の詳細な説明】
【技術分野】
【０００１】
本発明は、例えばＵＳＢインタフェースを有するデバイスに関する。
【背景技術】
【０００２】
近年、例えばＵＳＢインタフェース、ＩＥＥＥ１３９４インタフェースといった様々な
通信インタフェースが開発されている。
【０００３】
一方、通信インタフェースを有する電子機器、デバイス等の開発も進められている。例
えばＵＳＢインタフェースを有するＵＳＢメモリといったデバイス、ＵＳＢインタフェー
スを有するコンピュータ等である。
【０００４】
通信インタフェースに関する技術として、１つのＵＳＢコネクタを有しＢｌｕｅｔｏｏｔｈ（登録商標、以下同様）モジュールを内蔵するとともにＳＤメモリカードを装着可能とする機能拡張電子装置関する技術があった。
【特許文献１】特開２００５−９２８３３号公報
【発明の開示】
【発明が解決しようとする課題】
【０００５】
特許文献１に開示されている機能拡張電子機器をホストに接続すると、ホストは複数の
機能を使用することが可能になる。しかしながら、１つのＵＳＢコネクタを介してユーザ
は複数の機能を使用することが可能であるため、機能拡張電子機器の有するどの機能を使
用するかを考慮してユーザによってホストに機能拡張電子機器を接続することが困難であ
る。
【０００６】
本発明の目的は、同種のインタフェースを複数有し夫々のインタフェースを介して夫々
異なる機能を提供可能なデバイスを提供することにある。
【課題を解決するための手段】
【０００７】
上記目的を達成するために、請求項１に係わるデバイスは、本体と、前記本体に内蔵さ
れる第１の機能部と前記本体に内蔵され前記第１の機能部とは異なる第２の機能部と、前
記本体に設けられ、前記第１の機能部と外部機器とが通信するために設けられる第１のイ
ンタフェースと、前記本体に設けられ、前記第２の機能部と外部機器とが通信するために
設けられる前記第１のインタフェースと同種類の第２のインタフェースと、を具備するこ
とを特徴とする。
【発明の効果】
【０００８】
同種のインタフェースを複数有し夫々のインタフェースを介して夫々異なる機能を提供
可能なデバイスを提供することが可能となる。
【発明を実施するための最良の形態】
【０００９】
以下本発明に係る実施の形態を、図面を参照して説明する。
【００１０】
図１および図２を参照して、本発明の一実施形態に係るデバイスの構成の一例について
説明する。デバイスは、例えばＵＳＢインタフェースを有するデバイスである。
【００１１】
図１はＵＳＢインタフェースを有するデバイス１０を示す上面図および斜視図である。
【００１２】
デバイス１０は本体１を有する。本体１の両端には、ＵＳＢコネクタ２０およびＵＳＢ
コネクタ３０が設けられる。ＵＳＢインタフェースを具備する例えばコンピュータといっ
た電子機器に本デバイスを接続する場合、電子機器の有するＵＳＢインタフェースにＵＳ
Ｂコネクタ２０またはＵＳＢコネクタ３０を接続することが可能である。
【００１３】
本体１はメモリ機能部２１およびＢｌｕｅｔｏｏｔｈ機能部３１を内蔵する。メモリ機
能部２１はＵＳＢコネクタ２０と電気的に接続されている。一方、Ｂｌｕｅｔｏｏｔｈ機
能部３１はＵＳＢコネクタ３０と電気的に接続されている。
【００１４】
メモリ機能部２１にはデータを記憶する記憶部である例えばＦｌａｓｈＭｅｍｏｒｙ等
が設けられる。例えば、ＵＳＢインタフェースおよびＵＳＢメモリ機能を実現するために
要するドライバを具備するコンピュータにＵＳＢコネクタ２０が接続された場合、コンピ
ュータは外部記憶装置としてメモリ機能部２１を認識し、コンピュータ１０はメモリ機能
部２１に設けられる記憶部にアクセスすることが可能となる。
【００１５】
Ｂｌｕｅｔｏｏｔｈ機能部３１にはＢｌｕｅｔｏｏｔｈ通信に要するＢｌｕｅｔｏｏｔ
ｈ通信コントローラ、Ｂｌｕｅｔｏｏｔｈ通信用アンテナ等が設けられる。例えば、ＵＳ
ＢインタフェースおよびＵＳＢ  Ｂｌｕｅｔｏｏｔｈ機能を実現するために要するドライ
バを具備するコンピュータにＵＳＢコネクタ３０が接続された場合、コンピュータ１０は
Ｂｌｕｅｔｏｏｔｈ通信部としてＢｌｕｅｔｏｏｔｈ機能部３１を認識し、コンピュータ
１０はＢｌｕｅｔｏｏｔｈ機能部３１を用いて例えばＢｌｕｅｔｏｏｔｈ対応のマウスと
いった装置とＢｌｕｅｔｏｏｔｈ通信を行うことが可能となる。次に、ＵＳＢコネクタに
ＵＳＢコネクタカバーを取り付けた上体について説明する。
【００１６】
図２は、ＵＳＢコネクタ２０およびＵＳＢコネクタ３０の夫々にＵＳＢコネクタカバー
２およびＵＳＢコネクタカバー３を取り付けた状態を示す上面図および斜視図である。
【００１７】
ＵＳＢコネクタ２０にＵＳＢコネクタカバー２を取り付けられることが可能である。Ｕ
ＳＢインタフェースを具備する例えばコンピュータといった電子機器にＵＳＢコネクタ２
０を接続する場合、ＵＳＢコネクタ２０からＵＳＢコネクタカバー２が取り外される。本
体１のＵＳＢコネクタ２０が設けられる端部と異なる端部に設けられるＵＳＢコネクタ３
０にもＵＳＢコネクタカバー３を取り付けられることが可能である。
【００１８】
メモリ機能を実現するためのＵＳＢコネクタ２０、Ｂｌｕｅｔｏｏｔｈ機能を実現する
ためのＵＳＢコネクタ３０といった具合に、同種の異なるコネクタ夫々を介して異なる機
能を実現する構成にすることで、ユーザは本デバイスの有するどの機能を使用するかを考
慮してコンピュータといったホスト機器に本デバイスを接続することが可能となる。
【００１９】
なお、本発明は、上記実施形態そのままに限定されるものではなく、実施段階ではその
要旨を逸脱しない範囲で構成要素を変形して具体化できる。また、上記実施形態に開示さ
れている複数の構成要素の適宜な組み合せにより種々の発明を形成できる。例えば、実施
形態に示される全構成要素から幾つかの構成要素を削除してもよい。更に、異なる実施形
態に亘る構成要素を適宜組み合せてもよい。
【図面の簡単な説明】
【００２０】
【図１】ＵＳＢインタフェースを有するデバイス１０を示す上面図および斜視図。
【図２】ＵＳＢコネクタ２０およびＵＳＢコネクタ３０の夫々にＵＳＢコネクタカバー２およびＵＳＢコネクタカバー３を取り付けた状態を示す上面図および斜視図。
【符号の説明】
【００２１】
１…本体、２…ＵＳＢコネクタカバー、３…ＵＳＢコネクタカバー、４…ＬＣＤ、
１０…デバイス、２０…ＵＳＢコネクタ、２１…メモリ機能部、３０…ＵＳＢコネクタ、
３１…Ｂｌｕｅｔｏｏｔｈ機能部、
【図１】
2007233627.tif 000003
【図２】
2007233627.tif 000004